(57)【要約】【課題】  放射性ヨウ素の飛散や病原菌などの侵入と侵出を阻止し、外部環境の汚染と小動物への悪影響を防止し、高い安全性の確保とコストの低減化・利便性などを確保することが可能な小動物飼育ケージ用キャップ体。【解決手段】  小動物を収容する容器本体の開口部と側壁面をカバーするキャップ体であって、キャップ体は紙状活性炭素繊維のシート体により成形されると共に、容器本体の側壁面に密着される可撓性と伸縮性を有する密着部を有し、キャップ体のカバー時においては、容器本体の開口部をカバーすると共に、密着部が容器本体の側壁面を締め付けて密着される。【選択図】  図１
2005137352.tif 000002
【特許請求の範囲】
【請求項１】
開口部から小動物の出し入れを行い収容する容器本体の開口部と側壁面をカバーするキャップ体であって、
キャップ体は紙状活性炭素繊維のシート体により成形されると共に、容器本体の側壁面に密着される可撓性と伸縮性を有する密着部を有し、キャップ体のカバー時においては、容器本体の開口部をカバーすると共に、密着部が容器本体の側壁面を締め付けて密着され、容器本体の側壁面に沿って放射性ヨウ素などが漏れ出すことを防止する他、通気性を保持すると共に、容器本体に対する病原菌や塵埃など異物の侵入と侵出を阻止することを特徴とする小動物飼育ケージ用キャップ体。
【請求項２】
可撓性と伸縮性を有する密着部は、ゴムを巻き込んだ帯状のギャザー部であることを特徴とする請求項１記載の小動物飼育ゲージ用キャップ体。
【発明の詳細な説明】
【発明の詳細な説明】
【技術分野】
【０００１】  この発明は、マウスなど薬理実験を行うための小動物を飼育する際に、放射性ヨウ素の飛散や病原菌などの侵入と侵出を阻止し、外部環境の汚染と小動物への悪影響を防止し、高い安全性の確保とコストの低減化・利便性などを確保することが可能な小動物飼育ケージ用キャップ体に関するものである。
【背景技術】
【０００２】  従来、マウスやモルモットなどの小動物を用いて薬理実験が行われているが、それらの小動物を飼育するために、例えば、図３に示すような飼育用ケージ１が用いられている。すなわち、上面開口部２ａを有し小動物を収容する箱状の容器本体２と、餌供給用凹部３ａなどを有し容器本体２の上面開口部２ａをカバーする金綱３とで構成されている。【０００３】  そして、このような飼育用ゲージ１は、複数の飼育用ケージ１，・・・を多段に列設して収納し、外部との通気制御を行う通気機構４ａを有する飼育ラック４内に保管され、小動物の飼育が管理されている。
【発明の開示】
【発明が解決しようとする課題】
【０００４】  しかしながら、従来の飼育用ケージは、容器本体の内部と外部とが金網によって仕切られているため、容器本体内の小動物が持つ病原菌や実験に用いられた放射性ヨウ素が漏れ、他の飼育用ケージの小動物や実験者に飛散したり、食べ残した餌やワラ・糞などの汚物が外部に飛散するなどの問題がある。【０００５】  この発明は、上記のような課題に鑑みてなされたもので、その目的は、マウスなど薬理実験を行うための小動物を飼育あるいは移送するなどの際に、実験に用いられた放射性ヨウ素などが飼育用ケージの外に飛散したり、小動物の持つ病原菌や食べ残した餌やワラ・糞などの汚物が飼育用ケージの外に侵出したりするのを阻止することが可能であり、また、他の飼育用ケージの小動物の持つ病原菌や塵埃などの侵入を阻止することが可能であり、高い安全性を低コストで確保すると共に、利便性のよい小動物飼育ケージ用キャップ体を提供することにある。
【課題を解決するための手段】
【０００６】  この発明は、上記のような目的を違成するために、請求項１記載のように、開口部から小動物の出し入れを行い収容する容器本体の開口部と側壁面をカバーするキャップ体であって、キャップ体は紙状活性炭素繊維のシート体により成形されると共に、容器本体の側壁面に密着される可撓性と伸縮性を有する密着部を有し、キャップ体のカバー時においては、容器本体の開口部をカバーすると共に、密着部が容器本体の側壁面を締め付けて密着され、容器本体の側壁面に沿って放射性ヨウ素などが漏れ出すことを防止する他、通気性を保持すると共に、容器本体に対する病原菌や塵埃など異物の侵入と侵出を阻止することを特徴とする。また、請求項２記載のように、可撓性と伸縮性を有する密着部は、ゴムを巻き込んだ帯状のギャザー部であることを特徴とする。
【発明の効果】
【０００７】  この発明の効果としては、マウスなど薬理実験を行うための小動物を飼育する際にあるいは移送する際に、実験に用いられた放射性ヨウ素などが飼育用ケージの外に飛散したり、小動物の持つ病原菌や食べ残した餌やワラ・糞などの汚物が飼育用ケージの外に侵出したりするのを阻止することが可能であり、また、他の飼育用ケージの小動物の持つ病原菌や塵埃などの侵入を阻止し、高い安全性の確保とコストの低減化・利便性などを確保することができる
【発明を実施するための最良の形態】
【０００８】  以下、この発明の実施例を図面に基づき詳細に説明する。図１は、この発明に係る小動物飼育ケージの分解状態を示す外観図であり、図２は、この発明に係る小動物飼育ケージの使用状態を示す外観図である。【０００９】  図１に示すように、小動物飼育ケージ１０は、箱体の上部を開口部１１ａとしこの開口部１１ａから小動物の出し入れを行い収容する容器本体１１と、この容器本体１１の上部の開口部１１ａと側壁１１ｂ、１１ｃ、１１ｄ、１１ｅをカバーするキャップ体１２とから構成される。【００１０】  キャップ体１２は、紙状活性炭素繊維のシート体１２ａにより下部側を開口部１２ｂとする袋状に成形されると共に、容器本体１１の側壁１１ｂ〜１１ｅを締め付けて密着すべく周設された帯状の密着部１２ｃが形成されている。この密着部１２ｃはゴムを巻き込んで可撓性と伸縮性を有するギャザー部として開口部１２ｂの近傍の箇所に周設されている。このため、キャップ体１２は通気性を保持すると共に、容器本体１１の側壁をつたうように溢れ出す放射性ヨウ素の漏れを防止し、且つ、容器本体１１の開口部１１ａに対する病原菌や塵埃などの異物の侵入と侵出を阻止する。【００１１】  放射性ヨウ素の吸着には一般に粒子状活性炭が用いられているが、粒子状活性炭ではなくシート状チャコールフィルターであれば、著しく成形性、スペース効率、取り扱い性、軽量化などを高めることができる。このようなものとして好適なものは、商品名：活性炭素繊維ＫＦ（東洋紡績（株）製）などがある。この活性炭素繊維ＫＦは、セルロース繊維を原料として製造される繊維状の活性炭とされ、比表面積が１０００〜２０００ｍ２／ｇと大きく、５〜１００Åの細孔が開設されており、簿いシート状でも微細な被吸着物質をほとんど完全に捕集除去することができ、吸着容量は粉状あるいは粒状の活性炭に比べても著しく大きい吸着素材で、特に放射性ヨウ素の捕集においても好適である。【００１２】  また、活性炭素繊維のものには、フェルト状、織物状，編物状，紙状のものがあり用途に合わせて加工することができるが、この実施例にあっては、放射性ヨウ素の拡散を防止し、通気性が良く、比較的透明度のある紙状の活性炭素繊維が用いられる。【００１３】  ギャザー部である密着部１２ｃは、容器本体１１の側壁１１ｂ〜１１ｅを締め付けて密着するため、ケージ角の補強枠と紙状活性炭素繊維であるキャップ体１２との間においても隙間をなくし、放射性ヨウ素の漏れを防ぐこととなる。特に、放射性ヨウ素は比重が重いため、容器本体１１の側壁１１ｂ〜１１ｅの内壁に沿いながら容器本体１１の開口部１１ａの上縁辺から容器本体１１の側壁１１ｂ〜１１ｅの外壁に沿うように漏れ出てくる傾向性がある（ドライアイスの溢れ現象）。
キャップ体１２は、容器本体１１の側壁面をその周方向に可撓性と伸縮性を有する密着部１２ｃが締め付けることにより、放射性ヨウ素の漏れ出しを完全に防ぐこととなる。したがって、放射性ヨウ素以外にも有機溶媒やＳＯ２、臭気等の漏れも完全に除去することができる。【００１４】  また、キャップ体１２は紙状シート体であるため、哺水瓶などを差し込む餌供給用凹部（図示略）なども容易に凹部を形成することができると共に、切れ目を入れるだけで形成することができることとなる。結局、この切れ目を有する凹部は、低い位置にあるため放射性ヨウ素が漏れ出る危険は少ない。また、ゴムで押さえることにより餌の追加等も簡単に行うことができる。その他キャップの大きさを変えることにより、放射性廃棄容器の放射性物質の蒸散による汚染防止などにも利用できる。【００１５】  次に、図５（ａ）乃至（ｄ）に示すように、放射性ヨウ素拡散特性を確認するため、この発明に係る活性炭繊維のシート体を用いたキャップ体と、他のキャップ体を準備し実験を行った。まず、円筒形の容器（１）を準備し、この容器（１）の中央下部にはろ紙（図示略）を入れ、このろ紙上に１−１２５ヨウ化ナトリウム溶液を滴下した。なお、ガス状放射性ヨウ素の蒸散を促進させるため、ろ紙に１％塩酸溶液を滴下した。
そして、このような容器（１）の上部開口部に、シート体である活性炭素繊維（織物状）２０を載せたもの＜試験例１＞、シート体である不織布（通常使用されるマウスケージ運搬用）２１を載せたもの＜試験例２＞、金網２２を載せたもの、＜試験例３＞、何も載せないもの＜試験例４＞を準備した。
試験例１から試験例３の各容器（１）の上部には、直径約３ｍｍの顆粒状活性炭を８個ランダムに載せた。
また、試験例１から試験例３の各容器（１）の外側面８方向にも直径約３ｍｍの顆粒状活性炭を接着テープで貼り付けた。
試験例４の容器（１）は、上部に顆粒状活性炭を載せられないため、容器（１）の内側面８方向に直径約３ｍｍの顆粒状活性炭を接着テープで貼り付けた。
そして、５０分後に顆粒状活性炭の放射能量をガンマーカウンタで測定した。この結果が図６に示した表１である。【００１６】  この結果から判明することは、シート体である活性炭素繊維２０を載せた試験例１は、シート体である不織布２１を載せた試験例２，金網２２を載せた試験例３，何も載せない試験例４と比較して、著しい放射性ヨウ素の透過防止効果を有していることが判明した。また、通常マウスケージ運搬用シートとして使用されている不織布は、放射性ヨウ素の透過防止効果は全くないことも判明した。
但し、この結果からは次のことも判明した、すなわち、シート体である活性炭素繊維２０と容器（１）の開口部周縁との間に隙間があると、その僅かな隙間から放射性ヨウ素が漏れ出すこと。したがって、カバーはその僅かな隙間も作らない形状の工夫が必要であること。【００１７】  以上の結果から、図７（ａ）乃至（ｃ）に示す実験を行った。すなわち、上記と同様な容器（１）の上部に、１枚のシート体である紙状活性炭素繊維２０頭髮用のキヤップのように相手方を包むように加工したキヤップ体をカバーさせ回りを輪ゴムで止めたもの＜試験例▲１▼＞，２枚のシート体である紙状活性炭素繊維２０，２０を重ねたキヤップ体をカバーさせ回りを輪ゴムで止めたもの＜試験例▲２▼＞，金網２２をカバーさせたもの＜試験例▲３▼＞を準備した。
そして、試験例▲１▼から試験例▲３▼の各容器（１）の上部には、直径約３ｍｍの顆粒状活性炭を８個ランダムに載せると共に、各容器（１）の外周囲８方向にも直径約３ｍｍの顆粒状活性炭を載置した。
そして、３０分，６０分，１２０分，１８０分毎に３粒ずつの粒状活性炭を採取し、その放射能量をガンマーカウンタで測定した。この結果が、図８に示した表１である。【００１８】  この結果から判明することは、シート体である紙状活性炭素繊維は１枚でも２枚でも著しい透過防止効果を有していることが判明し、また、両者は同程度の放射性ヨウ素の透過防止効果を有していることが判明したため、１枚でもキヤップ体として成形可能であることが判明した（図９のグラフ参照）。【００１９】  このように、活性炭素繊維の放射ヨウ素の透過防止率は通常の不織布などに比べ著しく高く、紙状活性炭素繊維ではやわらかく，光の透過性もあり，通気性もあり、しかも１枚で十分の放射性ヨウ素の捕集効果を得ることができる。したがって、小動物を収容する容器本体の開口部と側壁面をカバーするキャップ体を、紙状活性炭素繊維のシート体により成形すると共に、容器本体の側壁に密着される可撓性と伸縮性を有する密着部を形成したものとすれば、通気性を保持したまま容器本体の外壁に沿って漏れ出す放射性ヨウ素などの漏れを防止し、容器本体に対する病原菌や塵埃など異物の侵入と侵出を阻止する。
【産業上の利用可能性】
【００２０】  その他、キャップ体としては、紙状活性炭素繊維のシート体を複数枚重ね合せてさらなる強靭性を確保し、形状などを適宜設計変更することにより、放射性廃棄容器の放射性物質の蒸散による汚染防止など、また、非放射性廃棄容器の汚染拡散防止など他の分野にも利用できる。
【図面の簡単な説明】
【００２１】
【図１】この発明に係る小動物飼育ケージの分解状態を示す外観図である。
【図２】この発明に係る小動物飼育ケージの使用状態を示す外観図である。
【図３】従来の小動物飼育ケージを示す外観斜視図である。
【図４】従来の小動物飼育ラックを示す説明図である。
【図５】放射性ヨウ素拡散特性の実験例の１例を示す説明図である。
【図６】図５による実験例のデータ結果を示す表１である。
【図７】放射性ヨウ素拡散特性の実験例の他例を示す説明図である。
【図８】図７による実験例のデータ結果を示す表２である。
【図９】図７による実験例のデータ結果を示すグラフである。
【符号の簡単な説明】
【００２２】１０    小動物飼育ケージ
１１    容器本体
１１ａ  開口部
１１ｂ〜１１ｅ    側壁
１２    キャップ体
１２ａ  紙状活性炭素繊維のシート体
１２ｂ  下部側を開口部１２ｂ
１２ｃ  帯状の密着部
【図１】
2005137352.tif 000003
【図２】
2005137352.tif 000004
【図３】
2005137352.tif 000005
【図４】
2005137352.tif 000006
【図５】
2005137352.tif 000007
【図６】
2005137352.tif 000008
【図７】
2005137352.tif 000009
【図８】
2005137352.tif 000010
【図９】
2005137352.tif 000011